(57)【要約】【課題】本発明は、エアフィルタに付着するホコリの掻き取りを確実になして清掃性の向上を得るとともに、ホコリ掻き取り性能の安定化を得られる空気調和機の室内機を提供する。【解決手段】吸込み口５と吹出し口９とを連通する通風路１０中に熱交換器７と送風機８を配置し、吸込み口と熱交換器との間にエアフィルタＦとエアフィルタ清掃装置Ｓを備え、エアフィルタ清掃装置は、エアフィルタの清掃時にエアフィルタを下端部からＵターンさせ上方へ向けて移動付勢する送りギヤ２３と、エアフィルタに付着するホコリを除去するホコリ掻き取りブレード２７とを備え、送りギヤを設けた第１の回転軸２５と、ホコリ掻き取りブレードを設けた第２の回転軸２８は、１つのユニット枠２２に平行に配置された清掃ユニット体２０を構成し、この清掃ユニット体を室内機本体１に対して着脱自在に取付けた。【選択図】    図４
2011021802.tif 000002
【特許請求の範囲】
【請求項１】
室内機本体に設けられる吸込み口と吹出し口とを連通する通風路中に、熱交換器と送風機が配置されるとともに、上記吸込み口が設けられる室内機本体内における上記熱交換器の通風路上流側に、吸込み口から吸込まれる室内空気を濾過するエアフィルタと、このエアフィルタに付着したホコリを除去し清掃するエアフィルタ清掃装置と、を備えた空気調和機の室内機において、
上記エアフィルタ清掃装置は、
上記エアフィルタの清掃時に、吸込み口が設けられる室内機本体内における熱交換器の通風路上流側で、エアフィルタを下端部からＵターンさせ、上方へ向けて移動付勢するエアフィルタ送り手段と、
このエアフィルタ送り手段により移動するエアフィルタに対し、エアフィルタに付着するホコリを除去するホコリ掻き取り手段と、を備え、
上記エアフィルタ送り手段の回転軸と、上記ホコリ掻き取り手段の回転軸は、１つのユニット枠に平行に配置された清掃ユニット体を構成し、
上記清掃ユニット体は、室内機本体に対して着脱自在に取付けられる
ことを特徴とする空気調和機の室内機。
【請求項２】
上記清掃ユニット体における、上記エアフィルタ送り手段と、ホコリ掻き取り手段の中間部は、単一部品によって同時に保持される
ことを特徴とする請求項１記載の空気調和機の室内機。
【請求項３】
上記エアフィルタ送り手段とホコリ掻き取り手段を備えた上記清掃ユニット体は、長手方向の少なくとも両側端部および中間部の３ヶ所を、ロック機構を介して上記室内機本体に着脱自在に取付けられ、
上記ロック機構の室内機本体に対する取付け方向と取外し方向は、エアフィルタ送り手段とホコリ掻き取り手段をそれぞれ備えた回転軸の軸方向と一致するよう設けられる
ことを特徴とする請求項１記載の空気調和機の室内機。
【請求項４】
上記清掃ユニット体は、上記エアフィルタ送り手段の回転軸と、ホコリ掻き取り手段の回転軸が、それぞれの軸受け構造とともに上記ユニット枠に回転自在に軸支され、
上記ユニット枠は、第１の梁部と、第２の梁部と、第３の梁部が、エアフィルタ送り手段およびホコリ掻き取り手段の回転軸と平行で、かつエアフィルタ送り手段の回転軸を中心にして略均等に配置するように構成されるとともに、上記第１、第２、第３の梁部のうちの２本の梁部相互の距離がエアフィルタ送り手段の直径よりも広く設定され、
上記ホコリ掻き取り手段は、上記第１、第２、第３の梁部のうちの２本の梁部に挟まれる位置に配置され、その２本の梁部相互の距離は、ホコリ掻き取り手段の直径よりも広く設定される
ことを特徴とする請求項１記載の空気調和機の室内機。
【発明の詳細な説明】
【技術分野】
【０００１】
本発明は、エアフィルタを自動で清掃する機能を備えた空気調和機の室内機に関する。
【背景技術】
【０００２】
空気調和機の室内機は、室内機本体内に収容される熱交換器の通風路上流側にエアフィルタを備え、本体内に吸込まれた室内空気を濾過して、清浄空気のみを熱交換器に導く。ホコリはエアフィルタに残り、長期の使用に亘ればエアフィルタに付着したホコリが堆積して、目詰まりが進行する。
【０００３】
そのままの状態で放置すると、付着したホコリにより熱交換器に導入される風量が減少して、熱交換効率が低下する。ユーザーは、適宜期間の間隔でエアフィルタを取外し、エアフィルタからホコリを除去する必要がある。しかしながら、この作業は手間がかかり面倒であるので、エアフィルタは放置され易い。
【０００４】
たとえば［特許文献１］には、ケーシングに形成された吸込み口から吹出し口に至る通風路内に熱交換器とファンを配置し、吸込み口の内面に沿って配置される網目状フィルタの表面を掃除する掃除機構を備え、フィルタに付着したホコリを、フィルタの裏面側から表面側に向けて排出する裏面側クリーナ機構を備えた空気調和機が開示されている。
【０００５】
上記裏面側クリーナ機構にはフィルタ送り機構が一体に構成されていて、フィルタ送り機構がフィルタを移動させながら、裏面側クリーナ機構と掃除機構で、フィルタに付着したホコリを自動的に除去する。ユーザーにとってはフィルタを掃除する手間が不要となり、フィルタの目詰まりが無くなって、熱交換効率の向上を得られる。
【先行技術文献】
【特許文献】
【０００６】
【特許文献１】特開２００８−８２６３９号公報
【発明の概要】
【発明が解決しようとする課題】
【０００７】
しかしながら、ある程度の問題を有していることも指摘できる。すなわち、掃除ブラシが掻き落したホコリは、掃除ブラシと一体化されたダストボックスに溜るので、適宜、掃除機構を室内機本体から取外し、ダストボックスから溜ったホコリを排出しなければならない。そのため、掃除機構を室内機本体に対して着脱可能としている。
【０００８】
これに対し、裏面側クリーナ機構と一体化されたフィルタ送り機構は、室内機本体に取付け固定される。そして、フィルタ送り機構と掃除機構は複数の部品に跨って取付けられていて、各構成部品の製造誤差が存在するとともに、各構成部品の組立にあたって取付け誤差が生じることは避けられない。
【０００９】
このような製造誤差と取付け誤差により、フィルタに対するホコリ掻き取り性の重要な寸法である、フィルタ送り機構の回転軸と、掃除機構の回転軸との間隔寸法である、軸間距離が安定しないのが、［特許文献１］の技術とも言える。  
たとえば、掃除機構を室内機本体から取外し、ダストボックスに溜ったホコリを排出した後、掃除機構を室内機本体に取付けた状態で、フィルタ送り機構と掃除機構の軸間距離が変ってしまい、ホコリの掻き取り除去が不完全になって、フィルタにホコリが残留する場合もあり得る。
【００１０】
本発明は上記事情にもとづきなされたものであり、その目的とするところは、いかなる状態においても、エアフィルタ送り手段の回転軸とホコリ掻き取り手段の回転軸との軸間距離を一定に保持し、フィルタに付着するホコリの掻き取りを確実になして清掃性の向上を得るとともに、ホコリ掻き取り性能の安定化を得られる空気調和機の室内機を提供しようとするものである。
【課題を解決するための手段】
【００１１】
上記目的を満足するため本発明の空気調和機の室内機は、室内機本体に設けた吸込み口と吹出し口とを連通する通風路中に熱交換器と送風機を配置し、吸込み口が設けられる室内機本体内における面と熱交換器の通風路上流側に吸込み口から吸込まれる室内空気を濾過するエアフィルタと、このエアフィルタに付着したホコリを除去し清掃するエアフィルタ清掃装置とを備え、  
上記エアフィルタ清掃装置は、エアフィルタの清掃時に吸込み口が設けられる室内機本体内における熱交換器の通風路上流側でエアフィルタを下端部からＵターンさせ上方へ向けて移動付勢するエアフィルタ送り手段と、このエアフィルタ送り手段により移動するエアフィルタに対し、エアフィルタに付着するホコリを除去するホコリ掻き取り手段とを備え、エアフィルタ送り手段の回転軸とホコリ掻き取り手段の回転軸は１つのユニット枠に平行に配置された清掃ユニット体を構成し、この清掃ユニット体は室内機本体に対して着脱自在に取付ける。
【発明の効果】
【００１２】
本発明によれば、いかなる状態においても、フィルタ送り手段の回転軸と、ホコリ掻き取り手段の回転軸との軸間距離を一定に保持して、フィルタに付着するホコリの掻き取りを確実になし、清掃性の向上を得るとともに、ホコリ掻き取り性能の安定化を得られる等の効果を奏する。
【図面の簡単な説明】
【００１３】
【図１】本発明における実施の形態に係る、空気調和機の室内機外観を示す斜視図。
【図２】同実施の形態に係る、室内機上面部の平面図。
【図３】同実施の形態に係る、前面パネルを取外した室内機の斜視図。
【図４】同実施の形態に係る、前面パネルを取外した室内機の縦断面図。
【図５】同実施の形態に係る、フィルタ支持枠からエアフィルタ清掃装置の一部を取外した状態の斜視図。
【図６】同実施の形態に係る、エアフィルタ清掃装置を分解するとともに、各構成部品の縦断面図。
【図７】同実施の形態に係る、エアフィルタ清掃装置の中間部の斜視図。
【図８】同実施の形態に係る、エアフィルタ清掃装置の中間部の縦断面図。
【図９】同実施の形態に係る、エアフィルタ装置におけるロック機構と、その周辺部の斜視図。
【発明を実施するための形態】
【００１４】
以下、本発明の実施の形態を、図面にもとづいて説明する。  
図１は、空気調和機の室内機の外観を示す概略の斜視図である。（なお、説明中に符号を付していない部品は図示していない。図示しても符号を付していない部品もある。以下同じ）
室内機本体１は、前面、上面および左右両側面筐体を構成する前面パネル２と、ここでは図示しない後本体３とからなる。室内機本体１の正面視は、上下方向寸法に対して左右幅方向寸法が極めて大であり、全体的に横長状に形成される。  
前面パネル２の上面部に吸込み口５が設けられていて、この吸込み口５を備えた上面部と、板体からなる前面部は一体化されるとともに、上面部後端を枢支部とした開閉パネル２Ａとなっている。メンテナンス時など、必要に応じて開閉パネル２Ａを開放して室内機本体１内部を露出できる。
【００１５】
前面パネル２の下面部に、後述する吹出しルーバー１１ａ，１１ｂが並んで設けられ、さらにこれら吹出しルーバー１１ａ，１１ｂの側部には、リモコン（リモートコントロール）から発信される信号を受けて表示する表示部Ｈが設けられる。
【００１６】
図２は、室内機本体１の上面部の平面図である。  
室内機本体１である前面パネル２の上面部には、吸込み口５と、エアフィルタ案内口６が並んだ状態で開口されている。吸込み口５は奥側にあり、エアフィルタ案内口６は手前側にあり、これらで前面パネル２上面部のほとんど大部分を占める。
【００１７】
エアフィルタ案内口６の左右幅方向寸法は、吸込み口５の左右幅方向寸法と略同一の寸法に形成されているが、前後方向寸法は極く僅かであり、吸込み口５の前後方向寸法は大に形成される。吸込み口５には複数の空間部に仕切る枠状の桟が嵌め込まれ、エアフィルタ案内口６には桟がなく、互いに常時、開放状態にある。
【００１８】
後述するようにエアフィルタ清掃運転が選択されると、エアフィルタＦに付着していたホコリが除去される。エアフィルタＦは、清掃された状態でエアフィルタ案内口６を挿通し、図１に二点鎖線で示すように、略半分は室内機本体１の上面部から上方へ突出して、エアフィルタＦの乾燥化をなす。
【００１９】
図３は、前面パネル２を取外した状態の室内機の斜視図であり、図４は、同様に前面パネル２を取外した状態の室内機の縦断面図である。  
図４に二点鎖線で示す前面パネル２を取外すことにより、後本体３の一部が見える。この後本体３には、エアフィルタＦを支持するエアフィルタ支持枠Ｗと、熱交換器７と、室内送風機８が支持されるとともに、吹出し口９が設けられる。
【００２０】
上記室内送風機８を作動することで、室内機本体１内には前面パネル２の吸込み口５と、後本体３の吹出し口９とを連通する通風路１０が形成される。そして、この通風路１０において、上記エアフィルタ支持枠Ｗと、熱交換器７と、室内送風機８が順次配置されることになる。
【００２１】
上記吹出し口９は、前面パネル２の下端部に沿って形成され、上記した２枚の吹出しルーバー１１ａ，１１ｂが設けられる。これら吹出しルーバー１１ａ，１１ｂは、回動姿勢によって吹出し口９を開閉し、かつ運転条件に応じて熱交換空気の吹出し方向を設定する上下ルーバーである。
【００２２】
上記熱交換器７は、前側熱交換器部７Ａと後側熱交換器部７Ｂとで略逆Ｖ字状に形成される。前側熱交換器部７Ａは、後述するエアフィルタＦを介して前面パネル２の前面部と吸込み口５を備えた上面部と対向するよう湾曲状に形成される。後側熱交換器部７Ｂは、直状で斜めに傾斜し、エアフィルタＦを介して吸込み口５一部と対向している。
【００２３】
上記熱交換器７は、図示しない室外機に収容される圧縮機や室外熱交換器などと冷媒管を介して連通されていて、これらで冷凍サイクルが構成される。熱交換器７の前後側熱交換器部７Ａ，７Ｂ相互間に、上記室内送風機８が配置される。  
室内送風機８は、室内機本体１の一側端のスペースに配置されたファンモータと、このファンモータの回転軸に連結される横流ファンとから構成される。横流ファンの軸方向長さは上記熱交換器７の幅方向長さと略同一に設定され、互いに正しく対向するように配置される。
【００２４】
前側熱交換器部７Ａの下端部は前ドレンパン１２ａ上に載り、後側熱交換器部７Ｂの下端部は後ドレンパン１２ｂ上に載る。前、後ドレンパン１２ａ，１２ｂは、それぞれ室内機本体１を構成する後本体３に一体に成形され、各熱交換器部７Ａ，７Ｂから滴下するドレン水を受けて、図示しない排水ホースを介し屋外へ排水できるようになっている。
【００２５】
前後ドレンパン１２ａ，１２ｂの一部側壁外面は室内送風機８に近接して設けられ、これらで室内送風機８の横流ファンに対するノーズを構成している。ノーズとなる前後ドレンパン１２ａ，１２ｂの側壁部分と吹出し口９の各辺部との間は、隔壁部材１３によって連結される。
【００２６】
上記室内送風機８を駆動することにより、隔壁部材１３で囲まれる空間が、ノーズと吹出し口９とを連通する、通風路１０における吹出し側となる。これに対して、吸込み口５から熱交換器７に至る間が、通風路１０における吸込み側になる。
【００２７】
上記エアフィルタ支持枠Ｗは、前面パネル２の前面部と対向するとともに、前側熱交換器部７Ａと間隙を存して曲成される。さらに、前面パネル２の上面部の吸込み口５と対向し、後側熱交換器部７Ｂ上面と間隙を存して曲成される。このエアフィルタ支持枠Ｗに支持されるエアフィルタＦも、エアフィルタ支持枠Ｗと同様の曲成形状をなす。
【００２８】
エアフィルタ支持枠Ｗの下端部に沿って、エアフィルタ清掃装置Ｓが一体に設けられる。このエアフィルタ清掃装置Ｓは、エアフィルタ支持枠Ｗと吹出し口９に設けられる上部側吹出しルーバー１１ａとの間に沿って介設される。前面パネル２が取付けられた状態で、エアフィルタ清掃装置Ｓは前面パネル２によって遮蔽され外部から見えない。
【００２９】
上記エアフィルタ支持枠Ｗは、複数の縦桟と横桟が所定間隔を存して平行に組立てられる前面枠体１４ａおよび後面枠体１４ｂを前後に組合せ、これら前面枠体１４ａと後面枠体１４ｂの縦桟相互間に、仕切りガイド桟１４ｃが設けられてなる。エアフィルタ支持枠Ｗの中央部の縦桟を境に、左右両側に合計２枚のエアフィルタＦが支持される。
【００３０】
エアフィルタ支持枠Ｗは、下端部が上記エアフィルタ清掃装置Ｓの前面側上端と後面側上端に載った状態で上方へ向って緩く湾曲成される。そして、吸込み口５と熱交換器７上端との間の空間スペースに沿って延出され、先端部は後本体３の背面側板部に当接する。
【００３１】
このように、前面枠体１４ａと後面枠体１４ｂとは、互いの下端部において最も広い空間スペースが確保され、上方に延出されるにしたがって徐々に狭まる。前面パネル２の上面部に最も接近した位置から後本体３の背面側板部に当接する位置まで、最も狭まった均一の空間スペースに形成される。
【００３２】
前面枠体１４ａのみ、室内機本体１上面部に設けられる上記エアフィルタ案内口６と対向する位置に開口部ａが設けられていて、この開口部ａはエアフィルタ案内口６と略同一の形状寸法に開口される。  
後面枠体１４ｂのみ、前面枠体１４ａの開口部ａと対向する部位が欠落し、ここに可動ガイドＫが設けられる。可動ガイドＫは、エアフィルタ支持枠Ｗの左右両側部の縦桟と、中央部の縦桟とに亘って設けられる支軸に回動自在に支持される。
【００３３】
上述したように、エアフィルタ支持枠Ｗに２枚のエアフィルタＦが支持されるところから、１枚のエアフィルタＦに対して１本の支軸が設けられるとともに、この支軸に複数（２個以上）の可動ガイドＫが設けられる。  
エアフィルタＦが移動したとき、エアフィルタＦが接触することで可動ガイドＫは支軸を回動支点として回動し、エアフィルタＦをガイドするようになっている。１枚のエアフィルタＦに対して複数の可動ガイドＫを備えることで、エアフィルタＦを確実にガイドできる。
【００３４】
上記仕切りガイド桟１４ｃは、この下端部がエアフィルタ清掃装置Ｓに載り、上方へ向って湾曲成した略三角状に形成される。仕切りガイド桟１４ｃと前面枠体１４ａとの間隔寸法と、仕切りガイド桟１４ｃと後面枠体１４ｂとの間隔寸法は、下端部から上方へ向って互いに略同一に形成される。  
仕切りガイド桟１４ｃの上端部は、上記可動ガイドＫの近傍部位まで延出していて、ここから前後面枠体１４ａ，１４ｂの先端部までは仕切りガイド桟１４ｃは介在せず、前面枠体１４ａと後面枠体１４ｂのみで空間スペースが確保されている。
【００３５】
エアフィルタ支持枠Ｗにおける、エアフィルタ清掃装置Ｓとの連結部から開口部ａまでの前面枠体１４ａと仕切りガイド桟１４ｃとの空間スペースと、開口部ａから後本体３の背面側板部と当接する先端部までの前面枠体１４ａと後面枠体１４ｂとの空間スペースとで、第１のガイド路Ｒ１が形成される。
【００３６】
通常の状態である空調運転時および運転停止時には、エアフィルタＦは第１のガイド路Ｒ１に収容されているが、エアフィルタ清掃装置Ｓが作用することで、エアフィルタＦは第１のガイド路Ｒ１から抜け出る方向に移動付勢されるようになっている。  
エアフィルタ清掃装置Ｓとの連結部から可動ガイドＫまでの後面枠体１４ｂと仕切りガイド桟１４ｃとの空間スペースと、可動ガイドＫから上記第１のガイド路Ｒ１と交差し、上記開口部ａおよび室内機本体１に設けられるエアフィルタ案内口６を介して室内機本体１上面部の上方部位に至る経路として、第２のガイド路Ｒ２が形成される。
【００３７】
エアフィルタ清掃装置Ｓが作用することで、第１のガイド路Ｒ１に収容されるエアフィルタＦは、エアフィルタ清掃装置Ｓを通過し、さらに第２のガイド路Ｒ２に沿って移動付勢されるようになっている。
【００３８】
上記エアフィルタＦは、矩形状の周辺枠に複数本の縦桟部と横桟部が所定間隔を存して掛け渡され、これら周辺枠と縦桟部および横桟部との間には、極薄のシート部が一体に設けられる。シート部には、空気の流通を許容し、空気に含まれるホコリは捕捉する直径のフィルタ孔が縦横整然と並んで設けられ、実質的にフィルタ部となっている。
【００３９】
エアフィルタＦを構成する縦桟部の裏面側には、この全長に亘って歯部が連続して設けられ、タイミングベルト状をなす。縦桟部はエアフィルタＦの下端部から上端部に亘って設けられるところから、エアフィルタＦは上下方向に沿って移動自在に支持されることになる。
【００４０】
つぎに、上記エアフィルタ清掃装置Ｓについて詳述する。  
図５は、エアフィルタ支持枠Ｗからエアフィルタ清掃装置Ｓの一部を取外して示す斜視図。図６は、エアフィルタ清掃装置Ｓを分解した縦断面図である。
【００４１】
上記エアフィルタ清掃装置Ｓは、エアフィルタ支持枠Ｗを構成する後面枠体１４ｂの下端部に一体に連設される主枠部１５と、この主枠部１５に左右幅方向に３ヶ所設けられるロック機構１６を介して、主枠部１５に着脱自在に取付けられる清掃ユニット体２０と、この清掃ユニット体２０が取付けられた状態で、主枠部１５に着脱自在に取付けられるダストボックス３０からなる。
【００４２】
上記主枠部１５は、後面枠体１４ｂの左右幅方向と同一の左右幅方向に形成される板体であり、断面形状は連続して折曲げ形成される。この左右両側部は手前側に突出する板体となっていて、図の右側の板体外面に、４個の駆動モータＭと、２個の駆動モータＭａが取付けられる。
【００４３】
上部および中間部４個の駆動モータＭが、図示しないギヤ組立を介して清掃ユニット体２０の駆動源として用いられる。下部２個の駆動モータＭａが、図示しないギヤ組立を介して上記吹出し口９に設けられる吹出しルーバー１１ａ，１１ｂの駆動源として用いられる。なお、これら駆動モータＭ，Ｍａについては図３にも示している。
【００４４】
上記清掃ユニット体２０は、ユニット枠２２に、送りギヤ（エアフィルタ送り手段）２３と、ホコリ押上げブラシ２４を設けた第１の回転軸２５を備えるとともに、ホコリ掻き取りブレード（ホコリ掻き取り手段）２７を設けた第２の回転軸２８を備えている。
【００４５】
なお説明すると、上記送りギヤ２３は、上記第１の回転軸２５における左右両側部と、これらの中間部と、さらに両側部と中間部との間部に設けられている。特に、中間部において送りギヤ２３は間隔を存して２個設けられているので、１本の回転軸２５に合計６個の送りギヤ２３が設けられることになる。
【００４６】
中間部２個の送りギヤ２３間を除く、それぞれの送りギヤ２３相互間に上記ホコリ押上げブラシ２４が設けられる。ホコリ押上げブラシ２４は、円筒体の周面にブラシ毛が植毛されていて、各ブラシ毛は第１の回転軸２５の軸芯に対して略直立し、その直径はエアフィルタＦのフィルタ孔寸法よりも細いものが選択されている。
【００４７】
第２の回転軸２８に設けられるホコリ掻き取りブレード２７は、中間部を境に左右両側に設けられる。このホコリ掻き取りブレード２７は、第２の回転軸２８の周方向に間隔を存し、かつ第２の回転軸２８の軸方向に沿って螺旋状に曲成される複数条のブレード片からなり、これらブレード片は薄肉の弾性部材（たとえばゴム材）が用いられる。
【００４８】
ユニット枠２２に、第１の回転軸２５と第２の回転軸２８は互いに平行に備えられる。したがって、第１の回転軸２５の送りギヤ２３およびホコリ押上げブラシ２４と、第２の回転軸２８のホコリ掻き取りブレード２７とは互いに平行であり、ホコリ押上げブラシ２４先端とホコリ掻き取りブレード２７先端は、互いに摺接するよう取付けられる。
【００４９】
清掃ユニット体２０が主枠部１５に取付けられると、送りギヤ２３はエアフィルタＦの縦桟裏面に設けられる歯部に掛合し、ホコリ押上げブラシ２４のブラシ毛先端はエアフィルタＦのシート部（フィルタ部）に挿入するようになっている。
【００５０】
送りギヤ２３とホコリ押上げブラシ２４を備えた第１の回転軸２５は、主枠部１５の側面部に取付けられる上部２個の駆動モータＭに、図示しないギヤ組立を介して連結される。ホコリ掻き取りブレード２７を備えた第２の回転軸２８は、主枠部１５の側面部に取付けられる中間部２個の駆動モータＭに図示しないギヤ組立を介して連結される。
【００５１】
第１、第２の回転軸２５，２８ともに、２個ずつの駆動モータＭに連結されているが、それには理由がある。図３に示すように、エアフィルタ支持枠Ｗとエアフィルタ清掃装置Ｓの右側部には熱交換器７に接続される冷媒管が突出しているので、側面部にはスペース的に大型の駆動モータを取付ける余裕が無い。
【００５２】
小型の駆動モータを取付ければスペース的に解決できるが、通常、このような部分に取付けられる汎用の小型駆動モータ１個では充分な駆動トルクを得ることができない。このため、各々の回転軸２５，２８において２個の小型駆動モータＭと連結することで、充分なトルクを確保するように構成させている。なお、スペースに収まり、かつ十分なトルクを有する小形高性能モータを使用した場合は、１個でも対応可能である。
【００５３】
清掃ユニット体２０の上記ユニット枠２２は、後述する中間部を除いて、図６に示すように第１の梁部２２ａと、第２の梁部２２ｂおよび、第３の梁部２２ｃを所定の間隔を存して、互いに平行に組合せてなるものである。すなわち、ユニット枠２２は、第１、第２、第３の梁部２２ａ、２２ｂ、２２ｃが、第１の回転軸２５と、第２の回転軸２８に対して平行に設けられる。
【００５４】
ここでは、第１の梁部２２ａがホコリ掻き取りブレード２７の側部に設けられ、第２の梁部２２ｂが送りギヤ２３の上部に設けられ、第３の梁部２２ｃが送りギヤ２３の側部に設けられる。そして、第１、第２、第３の梁部２２ａ、２２ｂ、２２ｃは、上記第１の回転軸２５を中心にして略均等に配置される。
【００５５】
なお説明すると、第１の梁部２２ａと第２の梁部２２ｂとの間隔は、送りギヤ２３の直径よりも大に形成される。ホコリ掻き取りブレード２７は第１の梁部２２ａと第３の梁部２２ｃとに挟まれる位置にあり、これら第１の梁部２２ａと第３の梁部２２ｃとの間隔は、ホコリ掻き取りブレード２７の直径よりも大に形成される。
【００５６】
清掃ユニット体２０が取付けられた主枠部１５に対してダストボックス３０が単独で着脱自在に取付けられ、これらでエアフィルタ清掃装置Ｓが構成される。上記ダストボックス３０は、上記ホコリ掻き取りブレード２７に対向する部位に充分な空間スペースを形成する集塵部Ｙを備えていて、この集塵部Ｙは開閉蓋３０ａによって開閉自在である。
【００５７】
上記清掃ユニット体２０は、ユニット枠２２を構成する第３の梁部２２ｃの下面側に、主枠部１５に左右幅方向に３ヶ所設けられる上記ロック機構１６を介して着脱自在に係止保持するため、断面Ｌ字形状で前後方向に延出する係合片２２ｄが、上記ロック機構１６の配置位置に対向して左右幅方向に複数個形成される。また、この各係合片２２ｄの側辺には、それぞれ凹部２２ｄ１が形成されている。
【００５８】
つぎに、第１の回転軸２５と第２の回転軸２８における中間部の軸受け構造について説明する。  
図７は、ここでは図示しない第１の回転軸２５と第２の回転軸２８における中間部の斜視図。図８は、第１の回転軸２５と第２の回転軸２８における中間部の縦断面図であり、いずれも組立てられた状態を示している。
【００５９】
上述したように、第１の回転軸２５の中間部に２個の送りギヤ２３が間隙を存して設けられ、ホコリ押上げブラシ２４が連設される。送りギヤ２３の他側部にボス部が一体に設けられていて、ユニット枠２２に略Ｕ字状に形成される軸受け部２２Ｕに支持される。断面四角状の第１の回転軸２５は、各送りギヤ２３のボス部間に露出する。
【００６０】
ホコリ掻き取りブレード２７の中間部には、第２の回転軸２８が回転自在に挿通する連結部３１が設けられる。この連結部３１は、第１の梁部２２ａと第３の梁部２２ｃの中間部に亘って設けられる略Ｕ字状の押え部２２Ｖに、上記軸受け部２２Ｕとは反対側の面から支持される。
【００６１】
これら第１の回転軸２５と第２の回転軸２８における中間部は、単一部品である固定具３３によってユニット枠２２に保持される。  
上記固定具３３は、第１の回転軸２５を支持する軸受け部２２Ｕと対向し、軸受け部２２Ｕとともに第１の回転軸２５を支持する部位と、この部位から第２の回転軸２８側に延出され、上記押え部２２Ｖと対向する側に回りこんで、押え部２２Ｖとともに連結部３１を介して第２の回転軸２８を支持する部位とが一体形成される。
【００６２】
したがって、固定具３３は、一方の片部が長く、他方の片部がこれよりも短い、略Ｕ字状に形成され、各片部が斜めに傾いた状態で取付けられることになる。  
固定具３３を取付けるには、ユニット枠２２に、送りギヤ２３とホコリ押上げブラシ２４を取付けた第１の回転軸２５と、ホコリ掻き取りブレード２７を取付けた第２の回転軸２８を組み込んだ状態で、これらの中間部に固定具３３を対向する。
【００６３】
具体的には、第２の回転軸２８の中間部に設けられる連結部３１と、この連結部３１を支持する押え部２２Ｖ側方に、固定具３３の開放端部を対向する。そして、固定具３３を開放端部から差し込む。このことで、上述のように固定具３３が所定の部位に嵌め込まれる。
【００６４】
固定具３３を中間部に差し込んだあと、取付けねじ３４を固定具３３に設けられる取付け用孔を介して軸受け部２２Ｕと押え部２２Ｖに設けられるねじ孔に螺挿する。固定具３３は３本の取付けねじ３４によってユニット枠２２に取付け固定され、第１の回転軸２５と第２の回転軸２８を同時にユニット枠２２に保持する。
【００６５】
つぎに、上記ロック機構１６について詳述する。  
先に図５に示したように上記ロック機構１６は、少なくとも主枠部１５の左右幅方向の両側端部と、中間部との３ヶ所に設けられるが、これ以上の数のロック機構１６を備えても何ら支障がない。
【００６６】
図９は、清掃ユニット体２０が上面に取付けられる主枠部１５のロック機構１６部分の構造を示していて、上記ロック機構１６は主枠部１５の左右幅方向に所定間隔を存して３ヶ所設けられている。  
このロック機構１６は、主枠部１５に前後方向に延出する断面Ｌ字形状の溝部１６ａと、この溝部１６ａの側部に平面視で略Ｕ字状に曲成されるばね体３５と、このばね体３５の一方の曲成端部に設けられるセットボタン３６とからなり、ばね体３５の曲成端部の側面には、突起３５ａが上記溝部１６ａ内に突出するように一体に設けられている。
【００６７】
上記ばね体３５の他方の曲成端部は主枠部１５に掛合され、他の部分と比較して板厚が薄くより容易に弾性変形できる。セットボタン３６が取付けられる曲成端部は杆状をなし、主枠部１５に設けられる前方開口部３７から外方へ突出する。この曲成端部の突出端にセットボタン３６が取付けられ、外面側から操作できる。
【００６８】
この溝部１６ａには、図６および図８で示す、上記清掃ユニット体２０の第３の梁部２２ｃ下面側に構成される係合部２２ｄが、前方から着脱自在にスライド挿入される。したがって、上記ばね体３５の突起３５ａ先端が、この係合部２２ｄの側片に形成する凹部２２ｄ１に弾性的に掛合し、このことで第３の梁部２２ｃの係合状態を保持する。  
すなわち、主枠部１５および清掃ユニット体２０の左右幅方向である長手方向に沿ってばね体３５の弾性反発力が作用し、清掃ユニット体２０を主枠部１５に確実に取付け保持することができる。
【００６９】
セットボタン３６に描かれた矢印方向にセットボタン３６をスライド付勢すれば、セットボタン３６はばね体３５の弾性力に抗して主枠部１５および清掃ユニット体２０の左右幅方向である長手方向に移動する。したがって、ばね体３５の突起３５ａが溝部１６ａ内にスライド挿入されている係合部２２ｄの側片に形成する凹部２２ｄ１から離間する。  
この状態を保持して、清掃ユニット体２０を手前側に引出せば、先に図５に示したように、清掃ユニット体２０を主枠部１５から取外すことができる。
【００７０】
再び清掃ユニット体２０を主枠部１５に取付けるには、清掃ユニット体２０を主枠部１５に対向するとともに、清掃ユニット体２０を主枠部１５に対して斜めに傾ける。そのまま、清掃ユニット体２０を主枠部１５に押し当て第３の梁部２２ｃの下面側にある係合部２２ｄを、ロック機構１６の溝部１６ａにスライド挿入する。  
したがって、係合部２２ｄの側片に設けた凹部２２ｄ１に突起３５ａ先端が係合し、ばね体３５の弾性力により自動的にロックされる。
【００７１】
中間部のロック機構１６、他端部のロック機構１６についても同様に掛合することで、清掃ユニット体２０を主枠部１５に取付けることができる。このように、清掃ユニット体２０の長手方向に沿う両側部および中間部の３ヶ所が、ロック機構１６を介して主枠部１５に取付け取外しされる。
【００７２】
しかも、ロック機構１６の作動方向は清掃ユニット体２０の左右幅方向と一致する。清掃ユニット体２０の左右幅方向は、ここに設けられる第１の回転軸２５と第２の回転軸２８の軸方向でもある。したがって、ロック機構１６の作動方向が第１の回転軸２５と、第２の回転軸２８の軸方向と一致することになる。
【００７３】
つぎに、上述のように構成される空気調和機の室内機の作用について説明する。  
冷房運転もしくは暖房運転等の空調運転開始の信号が制御部に入ると、室外機に配置される圧縮機に駆動信号が送られて冷凍サイクル運転が開始され、同時に、室内送風機８に駆動信号が送られる。
【００７４】
室内空気は吸込み口５から室内機本体１内に吸込まれ、吸込み側の通風路１０に沿って導かれる。はじめにエアフィルタＦを流通し、室内空気に含まれるホコリは捕捉される。濾過され清浄化した室内空気は、熱交換器７を構成する前側熱交換器部７Ａと後側熱交換器部７Ｂに導かれる。
【００７５】
熱交換器７と室内空気は熱交換をなし、冷房運転モードが選択されていれば、室内空気は冷気となり、暖房運転モードが選択されていれば暖気に変る。熱交換空気は吹出し側の通風路１０に沿って導かれ、吹出し口９から吹出しルーバー１１ａ，１１ｂに案内されて室内へ吹出される。
【００７６】
冷気が室内に吹出されることにより室内温度が低下し、冷房作用をなす。暖気が室内に吹出されることにより室内温度が上昇し、暖房作用をなす。いずれにしても、室内機本体１内に吸込まれた室内空気はエアフィルタＦを流通する際に、室内空気に含まれるホコリが捕捉され、常に清浄化した熱交換空気が室内に吹出されて、室内の清浄化をなす。
【００７７】
長期の使用に亘れば、エアフィルタＦに捕捉されたホコリが積もり、目詰りが生じる。そのまま放置すれば熱交換効率が低下して、冷房能力と暖房能力に影響が生じる。そこで、ユーザーは空調運転に先立ち、もしくは空調運転の終了後に、リモコン（遠隔操作盤）に設けられる、「エアフィルタお掃除ボタン」を押す。
【００７８】
この信号が制御部に入ると、エアフィルタ清掃装置Ｓの駆動モータＭに駆動信号が送られ、図４に示す、第１の回転軸２５が回転駆動されて送りギヤ２３とホコリ押上げブラシ２４が一体に反時計回り方向に回転するとともに、第２の回転軸２８が回転駆動されてホコリ掻き取りブレード２７が時計回り方向に回転駆動される。
【００７９】
送りギヤ２３に噛合する歯部を有するエアフィルタＦは、下端部からホコリ押上げブラシ２４に接するよう移動付勢される。ホコリ押上げブラシ２４のブラシ毛がエアフィルタＦのフィルタ孔に挿入し、ここに詰まっていたホコリを押上げる。すなわち、ブラシ毛によってホコリは熱交換空気導入側である１次側へ押し出される。
【００８０】
さらに、送りギヤ２３の回転にともなって、エアフィルタＦは下端部からホコリ押上げブラシ２４とホコリ掻き取りブレード２７との摺接部に導かれて通過する。このとき、ホコリ押上げブラシ２４によってエアフィルタＦの１次側に押上げられたホコリは、１次側に配置されるホコリ掻き取りブレード２７によって効率よく掻き落される。
【００８１】
ホコリ押上げブラシ２４は円柱状ブラシであり、ブラシ毛は軸芯に対して略直立しているので、エアフィルタＦの１次側の面にホコリを確実に浮き上がらせる。ホコリ掻き取りブレード２７は回転体であり、比較的簡素な構造で１次側に浮いたホコリをエアフィルタＦから確実に、かつ連続して除去する。
【００８２】
ホコリ掻き取りブレード２７によって掻き落されたホコリは、直ちにダストボックス３０内の集塵部Ｙに溜る。このようなエアフィルタＦの清掃作業を複数回行えば、ダストボックス３０内の集塵部Ｙにホコリが満杯状態となる。このときセンサーが検知し、あるいは、所定時間運転したことを検知するなどして制御部に信号を送り、制御部はユーザーに対してホコリ排出を督促する必要な報知をなす。
【００８３】
空調運転時および運転停止時は、図４に示すように、エアフィルタＦは第１のガイド路Ｒ１に収容されている。エアフィルタ清掃運転が選択されると、エアフィルタＦは下端部からＵターンしてエアフィルタ清掃装置Ｓを通過し、上述したようにエアフィルタＦからホコリが掻き落される。
【００８４】
さらに、エアフィルタＦはそれまでの下端部を先端にして第２のガイド路Ｒ２を上昇移動し、先端部が可動ガイドＫに当接する。この可動ガイドＫは、回動支点を中心にして反時計回り方向に回動し、第１のガイド路Ｒ１を遮断する一方で、第２のガイド路Ｒ２を開放する。
【００８５】
エアフィルタＦは、第１のガイド路Ｒ１と交差する交差点を通過して開口部ａ方向に導かれ、開口部ａを挿通して室内機本体１のエアフィルタ案内口６から上面部に突出する。エアフィルタＦの後端部が、ホコリ押上げブラシ２４とホコリ掻き取りブレード２７との摺接部を完全通過するまで、この状態が継続する。
【００８６】
エアフィルタＦの後端部が、上記部位を通過することで、エアフィルタ清掃装置ＳのエアフィルタＦに対する清掃作業が終了する。このことをセンサーあるいはモータの回転状態の検知などにより検知し、制御部に信号を送って第１の回転軸２５と第２の回転軸２８の回転を停止させる。
【００８７】
送りギヤ２３とホコリ押上げブラシ２４およびホコリ掻き取りブレード２７は回転が停止する。先に図１および図４に二点鎖線で示したように、エアフィルタＦの一部は室内機本体１の上面部に突出した状態で停止する。  
エアフィルタＦの清掃を選択したユーザーは、エアフィルタＦの一部が室内機本体１の上面部から突出しているのを目視でき、エアフィルタＦの清掃が実行されていることを確認できる。
【００８８】
冷房運転が終了した直後の熱交換器７は結露が著しく、この近傍範囲は高湿度の雰囲気となっている。しかしながら、エアフィルタＦの略半分が室内機本体１の上面部から突出しているので、熱交換器７の高湿度の影響を全く受けることがなく、エアフィルタＦの乾燥化が促進される。
【００８９】
開口部ａに挿通する部位と、可動ガイドＫに乗る部位および、その近傍部位も、外部と連通した状態にあり、熱交換器７の高湿度の影響を受けずにすむ。エアフィルタＦの熱交換器７と対向する部位は、ほとんど直立しているので、水滴が付着しても流下し易く、あるいは湿分が付着しても開口部ａとエアフィルタ案内口６を介して蒸発し易い。  
結局、本実施の形態の構成を採用すれば、エアフィルタＦの大部分の面積の乾燥化が促進される。
【００９０】
エアフィルタＦに対して、この状態を一定時間継続した後、駆動モータＭに逆転の駆動信号が送られエアフィルタＦを再び移動付勢し、第２のガイド路Ｒ２から元の第１のガイド路Ｒ１に収容する位置に戻す。  
つぎの空調運転を開始しても、エアフィルタＦは完全に乾燥化しているので、ホコリがこびり付くことはなく、長期に亘って濾過効果を確保できる。そして、再度のエアフィルタＦの清掃時において、付着しているホコリを容易に除去できる。
【００９１】
エアフィルタ清掃装置Ｓのダストボックス３０に溜ったホコリを排出する場合は、室内機本体１の主枠部１５からダストボックス３０のみを取外し、集塵部Ｙに溜ったホコリを排出し、再び、主枠部１５に装着すればよい。  
その際、清掃ユニット体２０に対する清掃を実施する場合は、ダストボックス３０を外した後、さらに清掃ユニット体２０を取外し、エアフィルタＦの送りギヤ２３と、ホコリ押上げブラシ２４およびホコリ掻き取りブレード２７の清掃を行うことができる。
【００９２】
このように本空気調和機の室内機においては、エアフィルタＦの送り手段をなす送りギヤ２３を備えた第１の回転軸２５と、ホコリ掻き取りブレード２７を備えた第２の回転軸２８を、１つのユニット枠２２に平行に配置した清掃ユニット体２０を主枠部１５である室内機本体１に対し着脱自在に取付けるようにした。
【００９３】
すなわち、エアフィルタＦに付着するホコリを掻き取る、掻き取り性能に重大な影響を与えるエアフィルタ送りギヤ２３と、ホコリ掻き取りブレード２７の位置関係を、いかなる状態でも不変とするために、これらを１つのユニット枠２２に取付けた清掃ユニット体２０を室内機本体１に対して着脱自在とした。
【００９４】
したがって、溜ったホコリを排出するためにダストボックス３０の取外し、あるいはホコリ掻き取りブレード２７などの清掃を行うためにユーザーが清掃ユニット体２０を着脱しても、エアフィルタ送り構造とホコリ掻き取り構造との位置関係を常に一定に保つことができ、清掃性の向上を得られ、ホコリ掻き取り性能を安定させることの両立を図れる。
【００９５】
また、送りギヤ２３を備えた第１の回転軸２５と、ホコリ掻き取りブレード２７を備えた第２の回転軸２８のそれぞれ中間部を、単一部品である固定具３３によって同時に保持するようにしたから、それぞれの回転軸を別個に保持する構造と比較して、部品点数の低減と、それにともなう工数の低減を得られる。
【００９６】
また、送りギヤ２３とホコリ掻き取りブレード２７を備えた清掃ユニット体２０は、長手方向の少なくとも両側端部および中間部の３ヶ所を、ロック機構１６を介して主枠部１５である室内機本体１に着脱自在に取付ける。ロック機構１６の室内機本体１に対する取付け方向と取外し方向は、第１の回転軸２５と第２の回転軸２８の軸方向と一致する。
【００９７】
したがって、エアフィルタ送り構造とホコリ掻き取り構造を備えた清掃ユニット体２０のユニット枠２２を室内機本体１に対して確実に取付けることができ、信頼性の向上を得られる。
【００９８】
なお、上記ロック機構１６は個々に操作するようにしたが、これに限定されるものではなく、１つの駆動源と連結機構を備えて、全てのロック機構１６が連動して動作するようにしてもよい。この場合、清掃ユニット体２０を室内機本体１から着脱する際の動作が簡単になり、取扱い性が向上する。
【００９９】
また、第１の回転軸２５と第２の回転軸２８は、それぞれの軸受け構造とともにユニット枠２２に回転自在に軸支し、ユニット枠２２は、第１、第２、第３の梁部２２ａ、２２ｂ、２２ｃを各回転軸２５，２８と平行で、かつ第１の回転軸２５を中心にして略均等に配置した。
【０１００】
第１の梁部２２ａと第２の梁部２２ｂとの間隔は、送りギヤの２３直径よりも大に形成し、ホコリ掻き取りブレード２７を第１の梁部２２ａと第３の梁部２２ｃとで挟む位置に設け、第１の梁部２２ａと第３の梁部２２ｃとの間隔は、ホコリ掻き取りブレード２７の直径よりも大に形成する。
【０１０１】
したがって、清掃ユニット体２０は第１の回転軸２５と第２の回転軸２８を備えながら、ユニット枠２２自体の剛性を高めるとともに、構成部品の組立性の向上化を図れることとなる。  
さらに、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【符号の説明】
【０１０２】
１…室内機本体、５…吸込み口、９…吹出し口、１０…通風路、７…熱交換器、８…室内送風機、Ｆ…エアフィルタ、Ｓ…エアフィルタ清掃装置、１５…主枠部、１６…ロック機構、１６ａ…溝部、２０…清掃ユニット体、２２…ユニット枠、２２ａ…第１の梁部、２２ｂ…第２の梁部、２２ｃ…第３の梁部、２２ｄ…係合片、２２ｄ１…凹部、２３…送りギヤ（エアフィルタ送り手段）、２４…ホコリ押上げブラシ、２７…ホコリ掻き取りブレード（ホコリ掻き取り手段）、２５…第１の回転軸、２８…第２の回転軸、３３…固定具（単一部品）、３０…ダストボックス、３５…ばね体、３５ａ…突起、３６…セットボタン。
【図１】
2011021802.tif 000003
【図２】
2011021802.tif 000004
【図３】
2011021802.tif 000005
【図４】
2011021802.tif 000006
【図５】
2011021802.tif 000007
【図６】
2011021802.tif 000008
【図７】
2011021802.tif 000009
【図８】
2011021802.tif 000010
【図９】
2011021802.tif 000011